(57)【要約】【課題】少ない操作回数で、容易に運転とコースとを設定することができ、利便性が良好である洗濯機を提供する。【解決手段】洗濯機の運転制御部１６のＣＰＵ６０は、記憶対象の運転につき、運転毎に、記憶対象であり、かつ設定されたコースを不揮発性メモリ６３に記憶する。ＣＰＵ６０は、電源投入の指示を受け付けた場合、不揮発性メモリ６３から直近に設定された初期表示対象の運転及びコースを読み出し、操作パネル１５の表示部に表示する。ＣＰＵ６０は、運転の切り換えを受け付けた場合、不揮発性メモリ６３から他の初期表示対象の運転及びコースを読み出し、操作パネル１５の表示部に表示する。【選択図】図３
2014050602.tif 000002
【特許請求の範囲】
【請求項１】
洗濯物を収容する洗濯槽に供給される乾燥風が通流する乾燥風路を備え、電源が入った場合に、表示手段により、洗濯を行う洗濯運転、又は洗濯及び乾燥を行う洗濯乾燥運転を含む運転のうちの１つの運転と、運転条件が異なる複数のコースのうちの１つのコースとを表示部により表示し、運転及びコースの選択を受け付けて運転及びコースを設定するように構成されている洗濯機において、
設定した運転とコースとを組み合わせて、運転毎に記憶部に記憶する記憶手段を備え、
前記表示手段は、電源が入った場合に、前記記憶部に記憶された運転とコースとを前記表示部に表示するように構成されていることを特徴とする洗濯機。
【請求項２】
前記記憶手段は、前記設定した運転とコースとの組み合わせが、所定の運転と所定のコースの組み合わせである場合に、前記記憶部に記憶し、前記所定の運転と所定のコースの組み合わせ以外である場合は、前記記憶部に記憶しないように構成されており、
前記表示手段は、電源が入った場合に、前記記憶部に記憶された所定の運転と所定のコースとを前記表示部に表示するように構成されていることを特徴とする請求項１に記載の洗濯機。
【請求項３】
前記記憶手段は、設定した運転が前記所定の運転と異なる第２の所定運転である場合に、該第２の所定運転と組み合わせて設定したコースを記憶し、
前記表示手段は、運転の切り換えを受け付け、前記第２の所定運転が選択された場合、前記記憶部に前記第２の所定運転とともに記憶されたコースを表示するように構成されていることを特徴とする請求項２に記載の洗濯機。
【請求項４】
運転切換キーを操作することにより、優先順位が高い運転から順次候補として選択できるように構成されており、
電源が入った場合に前記表示手段により運転とコースとが前記表示部に表示された後、運転切換キーを操作されたとき、前記運転が前記所定の運転の中で前記優先順位が低い運転であるときに、前記優先順位が高い所定の運転から順次選択できるように構成されていることを特徴とする請求項２又は３に記載の洗濯機。
【請求項５】
コース切換キーを操作することにより各コースが、優先順位が高いコースから順次候補として選択できるように構成されており、
電源が入った場合に前記表示手段により運転とコースとが前記表示部に表示された後、コース切換キーを操作されたとき、前記表示部に表示されているコースが前記所定のコースの中で前記優先順位が低いコースであるときに、前記優先順位が高い所定のコースから順次選択できるように構成されていることを特徴とする請求項２から４までのいずれか１項に記載の洗濯機。
【請求項６】
前記表示手段は、電源が入った場合に、前記記憶部に直近に記憶された運転とコースとを前記表示部に表示するように構成されていることを特徴とする請求項１から５までのいずれか１項に記載の洗濯機。
【請求項７】
前記表示手段は、運転の切り換えを受け付け、切り換える運転が前記記憶部に記憶されている場合、該運転と組み合わせて前記記憶部に記憶されたコースを表示するように構成されていることを特徴とする請求項１、２、４、又は５に記載の洗濯機。
【請求項８】
前記記憶手段は、運転を開始する指示を受け付けた場合に、前記記憶部に運転とコースとを組み合わせて記憶するように構成されていることを特徴とする請求項１から７までのいずれか１項に記載の洗濯機。
【請求項９】
前記記憶手段は、前記記憶部に運転とコースとを組み合わせて記憶する指示を受け付けた場合に記憶するように構成されていることを特徴とする請求項１から７までのいずれか１項に記載の洗濯機。
【請求項１０】
複数の操作部を有し、
前記記憶手段は、所定の操作部が操作された場合に記憶するように構成されていることを特徴とする請求項９に記載の洗濯機。
【請求項１１】
前記記憶手段は、電源の切断を受け付けた場合に、前記記憶部に運転とコースとを組み合わせて記憶するように構成されていることを特徴とする請求項１から７までのいずれか１項に記載の洗濯機。
【請求項１２】
前記所定の運転は、洗濯運転又は洗濯乾燥運転であることを特徴とする請求項１から１１までのいずれか１項に記載の洗濯機。
【発明の詳細な説明】
【技術分野】
【０００１】
本発明は、水槽の内部で回転する回転ドラム内に乾燥風を循環させる乾燥風路を備え、電源が投入された場合に、洗濯運転及び乾燥運転等の運転、並びに運転の条件を示すコースの選択を受け付けて運転及びコースを設定するように構成されている洗濯機に関する。
【背景技術】
【０００２】
近年広く普及しているドラム式の洗濯機は、有底円筒状の水槽を、横姿勢又は斜め横姿勢で筐体内に支持し、この水槽の内部に、同軸上にて回転する有底円筒状の回転ドラムを収容して構成されている。そして、洗濯機は水槽及び回転ドラム内に乾燥風を循環させる乾燥風路を備え、該乾燥風路には、回転ドラムの空気を吸い込む送風ファン、及び前記空気を加熱するヒータが設けられている。
【０００３】
水槽及び回転ドラムは、同側に開口する開口部を有しており、洗濯運転時に、洗濯物は、開口部を経て回転ドラムの内部に投入され、水槽及び回転ドラムの底部に溜まる洗濯水中に浸され、回転ドラムの回転による持ち上げ及び落下を繰り返し、落下時に回転ドラムの周面に叩きつけられて洗濯される。そして、乾燥運転時に、洗濯物は洗濯運転と同様に回転ドラムの回転による持ち上げ及び落下を繰り返され、乾燥風路を循環する乾燥風と繰り返し接触し、水分を奪われて乾燥させられる。
【０００４】
ユーザが以上のような洗濯機を使用する場合、まず、「電源入」キーを押圧し、運転を設定する。運転には、洗濯と乾燥とを行う「洗濯乾燥（以下、洗乾という）」、洗濯のみを行う「洗濯」、乾燥のみを行う「乾燥」等があり、ユーザは「運転切換」キーを押して所望の運転を選択する。
次に、コースを設定する。コースは、例えば洗濯の時間、すすぎの回数及び時間、脱水の時間、乾燥の時間等の各運転の条件を示すものであり、「標準」、「スピード」、「柔らか」、「わが家（流）」、「室内干し」、「念入り」、「ドライ」、「毛布」等が挙げられる。設定した運転によって選択可能なコースが決まり、ユーザは「コース切換」キーを押して所望のコースを選択する。
なお、運転とコースとの設定の順番は上記と逆の場合もある。
ユーザは、次回洗濯機を使用する場合には、再度所望の運転及びコースを設定する必要があり、操作回数が多く、操作が煩雑であるという問題があった。
【０００５】
この問題を解決するために、特許文献１には、ユーザが設定する給水、洗い、すすぎ、脱水工程のそれぞれの強弱、時間等を記憶して実行するメモリコースを備え、メモリコースの運転終了後、このメモリコースを引き続き自動的に設定するように構成された洗濯機の発明が開示されている。
特許文献２には、洗濯運転を行った場合、次回の電源投入時、標準コースでの洗濯運転を設定し、洗乾運転を行った場合、次回の電源投入時、標準コースでの洗乾運転を設定するように構成された洗濯機の発明が開示されている。
特許文献３には、洗濯物の状態に応じた複数の運転コースをよく使う運転コースとよく使わない運転コースとに区分して内蔵し、それらを選択的に実行可能な運転実行手段を備え、次回の電源投入時に運転実行手段が過去に実行した複数の運転コースのうち、使う運転コースに属する直近の運転コースを表示することにより、運転コースを設定し直すことなく、そのまま家庭環境に適した運転コースを実行できるようにした洗濯機の発明が開示されている。
【先行技術文献】
【特許文献】
【０００６】
【特許文献１】特開平６−２６９５９１号公報
【特許文献２】特開平１０−２２５５８８号公報
【特許文献３】特開２００８−７９９５１号公報
【発明の概要】
【発明が解決しようとする課題】
【０００７】
ユーザは、洗濯運転を行う場合はより汚れを落としやすくするために「念入りコース」を、洗乾運転を行う場合は時間短縮のために「スピードコース」を使用するというように、運転毎にコースを使い分けることを望むことが多い。
特許文献１の洗濯機においては、電源投入時に前回の運転内容を設定するので、運転及びコースを変更する場合、例えば上述のように２つの運転でコースを変える場合、他方のコースを新たに設定する必要があった。
特許文献２の洗濯機においては、電源投入時に、いずれの運転でもコースが「標準」に設定されるので、コースを変更したい場合、設定を切り換える必要があった。
特許文献３の洗濯機においては、例えば直近の運転とコースとである「洗濯」と「念入り」とを登録し、次回の電源投入時に該運転とコースとを表示するので、洗乾運転を行う場合、コースを「スピード」に切り換えて設定し直す必要があった。そして、洗乾運転で使用する「スピード」が登録された場合、次回の電源投入時に「洗乾」と「スピード」とが表示され、運転を「洗濯」に切り換える場合、コースを「念入り」に設定する必要があった。
【０００８】
本発明は斯かる事情に鑑みてなされたものであり、少ない操作回数で、容易に運転とコースとを設定することができ、利便性が良好である洗濯機を提供することを目的とする。
【課題を解決するための手段】
【０００９】
本発明に係る洗濯機は、洗濯物を収容する洗濯槽に供給される乾燥風が通流する乾燥風路を備え、電源が入った場合に、表示手段により、洗濯を行う洗濯運転、又は洗濯及び乾燥を行う洗濯乾燥運転を含む運転のうちの１つの運転と、運転条件が異なる複数のコースのうちの１つのコースとを表示部により表示し、運転及びコースの選択を受け付けて運転及びコースを設定するように構成されている洗濯機において、設定した運転とコースとを組み合わせて、運転毎に記憶部に記憶する記憶手段を備え、前記表示手段は、電源が入った場合に、前記記憶部に記憶された運転とコースとを前記表示部に表示するように構成されていることを特徴とする。
【００１０】
ここで、「電源が入った」場合とは、電源の投入を指示する指示を受け付ける操作部が押圧された場合をいう。
本発明においては、少ない操作回数で、容易に運転とコースとを設定することができ、利便性が良好である。
【００１１】
本発明に係る洗濯機は、前記記憶手段は、前記設定した運転とコースとの組み合わせが、所定の運転と所定のコースの組み合わせである場合に、前記記憶部に記憶し、前記所定の運転と所定のコースの組み合わせ以外である場合は、前記記憶部に記憶しないように構成されており、前記表示手段は、電源が入った場合に、前記記憶部に記憶された所定の運転と所定のコースとを前記表示部に表示するように構成されていることを特徴とする。
【００１２】
本発明においては、実施される可能性が高い所定の運転毎に、設定した所定のコースを記憶部に記憶し、次回の電源投入時に、記憶部に組み合わせて記憶された運転とコースとを表示するので、実施される可能性が高い運転とコースとが最初に表示され、即座に容易に設定することができる。また、表示後、運転を切り換える場合においても、記憶部に記憶された他の運転とコースとを候補として表示することで、少ない操作回数で、容易に運転とコースとを設定することができる。従って、利便性が良好である。
【００１３】
本発明に係る洗濯機は、前記記憶手段は、設定した運転が前記所定の運転と異なる第２の所定運転である場合に、該第２の所定運転と組み合わせて設定したコースを記憶し、前記表示手段は、運転の切り換えを受け付け、前記第２の所定運転が選択された場合、前記記憶部に前記第２の所定運転とともに記憶されたコースを表示するように構成されていることを特徴とする。
【００１４】
本発明においては、電源投入時に最初に表示された運転と異なる運転への切り換えを受け付け、該運転が前記第２の所定運転である場合に、該運転とともに記憶部に記憶したコースを表示するので、該運転につき選択される可能性が高いコースが表示され、少ない操作回数で、容易に運転とコースとを設定することができる。
【００１５】
本発明に係る洗濯機は、運転切換キーを操作することにより、優先順位が高い運転から順次候補として選択できるように構成されており、電源が入った場合に前記表示手段により運転とコースとが前記表示部に表示された後、運転切換キーを操作されたとき、前記運転が前記所定の運転の中で前記優先順位が低い運転であるときに、前記優先順位が高い所定の運転から順次選択できるように構成されていることを特徴とする。
【００１６】
本発明においては、運転切換キーを操作された場合に、運転が所定の運転の中で優先順位が低い運転であるときに、切り換えのサイクルの次の運転ではなく、優先順位が高い運転に戻って該運転が表示されるので、切り換えの操作回数を減じることができる。
【００１７】
本発明に係る洗濯機は、コース切換キーを操作することにより各コースが、優先順位が高いコースから順次候補として選択できるように構成されており、電源が入った場合に前記表示手段により運転とコースとが前記表示部に表示された後、コース切換キーを操作されたとき、前記表示部に表示されているコースが前記所定のコースの中で前記優先順位が低いコースであるときに、前記優先順位が高い所定のコースから順次選択できるように構成されていることを特徴とする。
【００１８】
本発明においては、コース切換キーを操作された場合に、表示部に表示されているコースが、優先順位が低いコースであるとき、切り換えサイクルの次のコースではなく、優先順位が高いコースに戻って該コースが表示されるので、切り換えの操作回数を減じることができる。
【００１９】
本発明に係る洗濯機は、前記表示手段は、電源が入った場合に、前記記憶部に直近に記憶された運転とコースとを前記表示部に表示するように構成されていることを特徴とする。
【００２０】
本発明においては、次回に実施される可能性が高い運転とコースとを最初に表示することができる。
【００２１】
本発明に係る洗濯機は、前記表示手段は、運転の切り換えを受け付け、切り換える運転が前記記憶部に記憶されている場合、該運転と組み合わせて前記記憶部に記憶されたコースを表示するように構成されていることを特徴とする。
【００２２】
本発明においては、電源投入時に最初に表示された運転と異なる運転への切り換えを受け付け、切り換える運転が記憶部に記憶されている場合、該運転とともに記憶部に記憶したコースを表示するので、該運転につき選択される可能性が高いコースが表示され、少ない操作回数で、容易に運転とコースとを設定することができる。
【００２３】
本発明に係る洗濯機は、前記記憶手段は、運転を開始する指示を受け付けた場合に、前記記憶部に運転とコースとを組み合わせて記憶するように構成されていることを特徴とする。
【００２４】
本発明においては、設定した運転とコースとが自動的に記憶部に記憶される。
【００２５】
本発明に係る洗濯機は、前記記憶手段は、前記記憶部に運転とコースとを組み合わせて記憶する指示を受け付けた場合に記憶するように構成されていることを特徴とする。
【００２６】
本発明においては、設定した運転とコースとがユーザの意思により記憶部に記憶される。
【００２７】
本発明に係る洗濯機は、複数の操作部を有し、前記記憶手段は、所定の操作部が操作された場合に記憶するように構成されていることを特徴とする。
【００２８】
本発明においては、設定した運転とコースとがユーザの意思により記憶部に記憶される。
【００２９】
本発明に係る洗濯機は、前記記憶手段は、電源の切断を受け付けた場合に、前記記憶部に運転とコースとを組み合わせて記憶するように構成されていることを特徴とする。
【００３０】
本発明においては、設定した運転とコースとが自動的に記憶部に記憶される。
【００３１】
本発明に係る洗濯機は、前記所定の運転は、洗濯運転又は洗濯乾燥運転であることを特徴とする。
【００３２】
本発明においては、使用頻度が高い洗濯運転又は洗乾運転について記憶部に記憶するので、電源投入時にいずれかの運転が表示された場合にそのまま実施される可能性が高く、利便性が良好である。
【発明の効果】
【００３３】
本発明によれば、実施される可能性が高い所定の運転毎に、設定したコースを記憶部に記憶し、次回の電源投入時に、記憶部に組み合わせて記憶された運転とコースとを表示するので、実施される可能性が高い運転とコースとが最初に表示され、即座に容易に設定することができる。また、初期表示後、運転を切り換える場合においても、記憶部に記憶された他の所定運転とコースとを候補として表示することで、少ない操作回数で、容易に運転とコースとを設定することができる。従って、利便性が良好である。
【図面の簡単な説明】
【００３４】
【図１】本発明の実施の形態１に係る洗濯機の外観を略示する斜視図である。
【図２】本発明の実施の形態１に係る洗濯機の内部構成を略示する縦断面図である。
【図３】本発明の実施の形態１に係る洗濯機の制御系の構成を示すブロック図である。
【図４】本発明の実施の形態１に係る操作パネルを示す平面図である。
【図５】本発明の実施の形態１に係る運転制御部のＣＰＵによるメモリ更新の処理の手順を示すフローチャートである。
【図６】本発明の実施の形態１に係る運転制御部のＣＰＵによるメモリ更新の処理の手順を示すフローチャートである。
【図７】本発明の実施の形態１における初期表示のサブルーチンに係るＣＰＵの処理手順を示すフローチャートである。
【図８】本発明の実施の形態２に係るＣＰＵによるメモリ更新の処理の手順を示すフローチャートである。
【図９】本発明の実施の形態３に係るＣＰＵによるメモリ更新の処理の手順を示すフローチャートである。
【図１０】本発明の実施の形態４に係るＣＰＵによるメモリ更新の処理の手順を示すフローチャートである。
【発明を実施するための形態】
【００３５】
以下、本発明をその実施の形態を示す図面に基づいて具体的に説明する。
実施の形態１．
図１は、本発明の実施の形態１に係る洗濯機の外観を略示する斜視図、図２は、実施の形態１に係る洗濯機の内部構成を略示する縦断面図である。
【００３６】
図２に示すように本発明に係る洗濯機は、外装を構成する外箱１の内部に水槽２及び洗濯物を収容し、洗濯、脱水を行う洗濯槽である回転ドラム３を備えている。水槽２は、一側に開口２０を備える大径の有底円筒体であり、外箱１の底面に立設された複数本の支持脚２１（１本のみ図示）により、開口２０の側を上とし、水平面に対して軸心を傾けた傾斜姿勢を保って弾性的に支持されている。
外箱１の前面（図２の左側面）には、水槽２の開口２０を臨む位置に、蓋体１０によって開閉自在に洗濯物Ａの投入口１１が開設されており、投入口１１と水槽２の開口２０との間は、ベローズ１２によって液密に封止されている。
【００３７】
水槽２の内部には、回転ドラム３が収容されている。回転ドラム３は、水槽２よりもやや小径の有底円筒体であり、一側の開口３０を水槽２の開口２０の内側に臨ませ、水槽２の底部中央に固設されたドラムモータ４の出力軸４０の端部に連結してあり、ドラムモータ４の駆動により、水槽２の内部にて回転するように構成されている。
【００３８】
回転ドラム３は、開口３０の外側に周設された流体バランサ３１を備えている。流体バランサ３１は、回転ドラム３が回転した場合に、この回転に伴う振動を吸収して緩和する作用をなす。ドラムモータ４は、水槽２の底板の外側に連設されたモータ室４１の内部に構成してある。ドラムモータ４の出力軸４０は、水槽２の底板を液密に貫通し、該底板の中央に突出しており、回転ドラム３は、この突出端部に連結してある。
【００３９】
図２に示すように、回転ドラム３の周壁には、多数の小孔３２が全面に亘って貫通形成されており、また、回転ドラム３の内面には、軸長方向に延びる複数のバッフル３３が周方向に等配をなして突設されている。なお、図２には、図面の煩雑化を避けるべく、小孔３２の一部と１つのバッフル３３のみとを図示している。
【００４０】
図１に示すように、外箱１の前面には、蓋体１０の近傍にドア開ボタン１３が設けてある。また、蓋体１０には、蓋体１０の閉止時に押圧操作するための押圧部１４が設けてある。蓋体１０は、ドア開ボタン１３の操作によって開放され、また周縁部を把持して閉操作し、押圧部１４を外側から押すことにより閉止される。外箱１の前面に設けた投入口１１は、水槽２及び回転ドラム３の開口２０，３０に臨ませてある。
【００４１】
外箱１の前面上部には操作パネル１５が設置されている。操作パネル１５は、運転内容を決定するための後述の操作ボタンＢ１，Ｂ２，・・・，Ｂ１５と、複数の操作ボタンによって決定された運転内容に対応する文字及び／又は図形を表示する表示部Ｄ１，Ｄ２，・・・，Ｄ１０とを有する（図４参照）。操作パネル１５は、外箱１の内部における前下部に設けられている運転制御部１６（図２参照）に接続してあり、操作パネル１５が有する操作ボタンＢ１，Ｂ２，・・・，Ｂ１５の中で押圧された操作ボタンを示す操作情報が運転制御部１６へ与えられる。運転制御部１６は、与えられた操作情報が示す操作ボタンに基づいて運転及びコースを設定し、設定した運転及びコースに基づいて、後述する洗濯運転、洗濯乾燥運転、及び乾燥運転等の運転を行う。
【００４２】
外箱１の後部上面には、水道への接続端となる給水口１７が設けてあり、給水口１７は、外箱１の内側に設けられた給水弁１８に接続されている。給水弁１８は、複数の給水出口を有する多連形の電磁弁である。給水弁１８の第１給水出口は、給水管１９を介して水槽２の底板近傍の上部周面に接続されている。
【００４３】
給水管１９の中途には、銀イオン発生器２２が設けられている。銀イオン発生器２２は、給水管１９を流れる水を滞留させる図示しない水溜め部と、電圧の印加によって銀イオンを水溜め部に滞留している水に溶出する図示しない対向電極とを有する。銀イオン発生器２２、より具体的には対向電極夫々は、運転制御部１６(図３参照）に接続されており、運転制御部１６による対向電極間の電圧印加によって、銀イオンを水溜め部に滞留している水に溶出する。
【００４４】
給水弁１８が第１給水出口に切換えられた場合、給水口１７に流入した水は、給水弁１８及び給水管１９を経て水槽２の内部に供給され、洗い用の洗濯水、又は、すすぎ用のすすぎ水として使用される。尚、給水管１９の中途に、銀イオン発生器２２の他に、公知のように洗剤ケースを配置し、給水と共に適量の洗剤が導入されるように構成することができる。
【００４５】
また、水槽２には、最下位置となる底板近傍の周面に導水管２３が接続されており、導水管２３は、外箱１の内側における前下部に固定支持された筒形のフィルタケース２４に接続されている。フィルタケース２４の内部には、繊維屑等の異物を捕捉するリントフィルタ２５が収容されている。フィルタケース２４の下部は、排水弁２６を介して外箱１の底面に沿って敷設された排水管２７に接続されている。
【００４６】
排水弁２６が開放された場合、水槽２内の洗濯水又はすすぎ水は、導水管２３及びフィルタケース２４を経て排水管２７に排出される。水槽２内の洗濯水又はすすぎ水に含まれる異物は、フィルタケース２４内のリントフィルタ２５によって捕捉され、洗濯水又はすすぎ水から除去される。従って、異物が排水管２７を経て下水管に排出される虞がないため、環境負荷の軽減を図ることができる。
【００４７】
洗濯機の洗濯運転では、洗濯物Ａの洗い、すすぎ及び脱水が行われる。洗濯物Ａの洗いは、外箱１前面の蓋体１０により投入口１１を開放して洗濯物Ａを投入し、蓋体１０を閉止した後に給水弁１８を第１給水口に切換えて開放することによって水槽２の内部に洗濯水を供給し、ドラムモータ４の駆動によって回転ドラム３を回転せしめて実施される。
【００４８】
前述したように回転ドラム３の周壁には、多数の小孔３２が貫通した状態で形成されており、回転ドラム３の内面には、複数のバッフル３３が突設されている。このため、回転ドラム３の内部の洗濯物Ａは、小孔３２を経て回転ドラム３内に流入する洗濯水に浸され、バッフル３３の作用による持ち上げ及び落下を含めて洗濯水と共に撹拌されて洗われる。洗濯物Ａの洗いが終了した後、排水弁２６が開放され、水槽２内の洗濯水は排水管２７に排出される。
【００４９】
洗濯物Ａのすすぎは、排水弁２６を閉鎖した状態で、給水弁１８を第１給水口に切換えて開放することによって水槽２の内部に、洗剤を含まないすすぎ水を供給し、ドラムモータ４の駆動によって回転ドラム３を回転せしめて実施される。洗濯物Ａは、回転ドラム３内に溜まるすすぎ水に浸され、洗い運転時と同様に、回転ドラム３内での持ち上げ及び落下を繰り返すことですすがれる。
【００５０】
洗濯物Ａの脱水は、すすぎを終了した後、排水弁２６を開放し、回転ドラム３を回転せしめて実施される。回転ドラム３内の洗濯物は、回転ドラム３の内周面に張り付いた状態で回転し、洗濯物に含まれる水は、遠心力の作用により洗濯物から離脱して、回転ドラム３の周壁に設けた小孔３２から導水管２３及びフィルタケース２４を経て排水管２７に排出される。
【００５１】
洗濯物Ａのすすぎ及び脱水は、交互に繰り返して複数回実施される。運転内容が銀イオンを含むすすぎ水で最終のすすぎを行うように決定してある場合、最終のすすぎでは、給水弁１８を第１給水口に切換えて開放し、すすぎ水を、給水管１９を介して水槽２の内部に供給している間に、運転制御部１６は銀イオン発生器２２の対向電極に電圧を印加する。これにより、すすぎ水に対向電極から銀イオンが溶出し、洗濯物Ａは銀イオンが含まれるすすぎ水によってすすがれる。洗濯物Ａがすすぎ水中の銀イオンと接触することによって、洗濯物Ａの抗菌及び防臭が行われる。
【００５２】
また、洗濯機の乾燥運転は、前述した洗濯運転の洗い、すすぎ及び脱水が終了した後に実施される。この乾燥運転において、ドラムモータ４の駆動により回転ドラム３を回転させると共に、回転ドラム３の内部に乾燥風が循環せしめられる。
【００５３】
図２には、乾燥風の循環風路が略示してある。循環風路５は、水槽２の下部底面に開設された導出口５０と、水槽２の開口２０の周縁部に開設された導入口５１とを、上行ダクト５２及び前行ダクト５３により連絡して構成されている。
【００５４】
上行ダクト５２及び前行ダクト５３夫々は、外箱１の内部における後側及び上側に配してある。上行ダクト５２の下端部及び上端部夫々は、導出口５０及び前行ダクト５３の後端部に連結してある。前行ダクト５３の前端部は、水槽２の前側上部の周縁に開口する導入口５１に接続されている。
【００５５】
前行ダクト５３の中途には、塵埃を捕捉するためのリントフィルタ５４、乾燥風を起風する送風機５５、及び、乾燥風を加熱するヒータ５６が、後側から前側にこの順に介装してある。また、送風機５５及びヒータ５６の間を接続してある前行ダクト５３の側壁には、プラズマクラスタイオン（Plasma Cluster Ion; ＰＣＩ）を発生させて、前行ダクト５３を通流する乾燥風にＰＣＩを含ませるＰＣＩ発生器５７が設けてある。
【００５６】
給水弁１８の第２給水出口は、冷却水管５８を介して上行ダクト５２に沿って下方に延設されており、冷却水管５８の下端は、上行ダクト５２における下部の後壁に接続されている。
【００５７】
以上のように構成された循環風路５には、送風機５５が起風する乾燥風が循環し、この乾燥風は、ヒータ５６によって加熱され、前行ダクト５３を経て導入口５１に達し、導入口５１から回転ドラム３の内部に吹き込まれる。このとき、回転ドラム３の内部の洗濯物Ａは、回転ドラム３の回転に伴って、周面のバッフル３３の作用により持ち上げられ、図２の２点鎖線が示すように拡がって落下し、この間に前記乾燥風に繰り返し接触することによって乾燥せしめられる。
【００５８】
回転ドラム３に導入された乾燥風は、洗濯物Ａから水分を奪って導出口５０に導出され、上行ダクト５２に戻り、上行ダクト５２内を上昇して前行ダクト５３内に移り、リントフィルタ５４を通過する。これにより、乾燥風に含まれる塵埃はリントフィルタ５４によって捕捉される。リントフィルタ５４によって塵埃が除去された乾燥風は、ヒータ５６によって再加熱されて回転ドラム３の内部に導入される。
【００５９】
乾燥運転が行われている間、給水弁１８は第２給水口に切換えられており、排水弁２６は開放されている。給水口１７に供給された水は、冷却水管５８を経て上行ダクト５２の内部に流出し、導出口５０に達する。導出口５０に達した水は、水槽２に流入した後、導水管２３及びフィルタケース２４を経て排水管２７に排出される。
【００６０】
導出口５０に導出された乾燥風は、上行ダクト５２の内部を流れる水に接触し、該水との熱交換によって冷却される。これにより、乾燥風に含まれる水分は凝縮されて除去される。このように除湿された乾燥風は、前述したようにヒータ５６によって加熱される。加熱された高温低湿の乾燥風が回転ドラム３内を循環する。
【００６１】
ＰＣＩ発生器５７は、水槽２の除菌及び防臭を行う場合に用いられる。ＰＣＩ発生器５７は、図示しない放電電極及び誘電電極を有し、運転制御部１６は、放電電極及び誘電電極間に高電圧を印加することによってコロナ放電を起こし、ＰＣＩを発生させる。
【００６２】
運転内容がＰＣＩによって水槽２の除菌及び防臭を行うように決定してある場合、洗濯運転又は乾燥運転が終了した後に、運転制御部１６は、送風機５５を駆動させると共にＰＣＩ発生器５７の放電電極及び誘電電極間に高電圧を印加する。ＰＣＩ発生器５７によって発生したＰＣＩは、送風機５５によって発生した乾燥風に含まれ、水槽２内に送り込まれる。水槽２内に送り込まれたＰＣＩは、水槽２内の細菌に付着し、除菌する。更に、ＰＣＩは、水槽２内でカビ及び浮遊粒子を不活性化させると共に臭気成分を変性させる。これにより、水槽２内の除菌及び防臭が行われる。
【００６３】
図３は洗濯機の制御系の構成を示すブロック図である。運転制御部１６は、ＣＰＵ（Central Processing Unit）６０、ＲＯＭ（Read Only Memory）６１、ＲＡＭ（Random Access Memory）６２、不揮発性メモリ６３、タイマ及び入出力インターフェース（Ｉ／Ｏ）６５を共有バスで接続してなるコンピュータである。
【００６４】
ＣＰＵ６０は、ＲＯＭ６１に記憶してある制御プログラムをＲＡＭ６２に読み出して実行する。
不揮発性メモリ６３は、例えばＥＥＰＲＯＭ（Electrically Erasable Programmable Read Only Memory）又はＥＰＲＯＭ（Erasable Programmable Read Only Memory）等からなり、不揮発性メモリ６３の記憶内容はＣＰＵ６０によって書き換えることが可能である。  不揮発性メモリ６３は、メモリ（領域）１、メモリ２、及びメモリ３の３つの記憶領域を有している。以下、後述する初期表示の対象運転（請求項の所定の運転）を「洗乾」又は「洗濯」とし、初期表示の対象コース（請求項の所定のコース）を「標準」、「スピード」、「柔らか」、「わが家（流）」、「室内干し」、「念入り」として説明する。ＣＰＵ６０は、運転として「洗乾」が設定され、同時に設定されたコースが記憶対象のコースである場合、該コースをメモリ１に記憶し、運転として「洗濯」が設定され、同時に設定されたコースが対象のコースである場合、該コースをメモリ２に記憶する。また、運転として「乾燥」（請求項の第２の所定運転）が設定され、同時に設定されたコースが記憶対象のコースである場合、該コースをメモリ３に記憶する。これらのメモリ間で、コースの登録が上書きし合うことはなく、メモリ１でコース登録した場合に、メモリ２でのコースの登録内容が消去されることはない。
【００６５】
入出力インターフェース６５は、ドラムモータ４、給水弁１８、排水弁２６、送風機５５、ヒータ５６、銀イオン発生器２２、ＰＣＩ発生器５７及び操作パネル１５に接続されている。
【００６６】
ＣＰＵ６０は、入出力インターフェース６５を介して、操作パネル１５から受け付けた操作情報に基づいて運転内容を決定する。即ち、操作パネル１５が有する複数の操作ボタンＢ１，Ｂ２，・・・，Ｂ１５の操作によって運転内容が決定される。ＣＰＵ６０は、操作パネル１５の表示部Ｄ１，Ｄ２，・・・，Ｄ１０夫々に、決定してある運転内容に応じた文字及び／又は図形を表示する。
【００６７】
ＣＰＵ６０は、ユーザにより操作パネル１５から電源の投入を受け付けた場合、不揮発性メモリ６３から、直近の対象運転とコースとを読み出し、対応する運転を表示部Ｄ１に、対応するコースを表示部Ｄ２に表示する（以下、電源投入時の運転及びコースの表示を初期表示という）。即ち、前回の運転が対象運転であった場合、該対象運転及びコースを表示し、前回の運転が対象運転でなかった場合、直近の対象運転とコースとを表示する。そして、運転及びコースが初期表示の通りに設定されるか、又は操作ボタンＢ５及び／若しくは操作ボタンＢ６により運転及び／若しくはコースが切り換えられて設定される。操作ボタンＢ５が押圧され、他方の対象運転又は乾燥運転に切り換えられた場合、ＣＰＵ６０は、表示部Ｄ２に、切り換えられた運転に対応し、かつ不揮発性メモリ６３に記憶してあるコースを表示する。ＣＰＵ６０は、切り換えられた運転が対象運転及び乾燥運転のいずれでもない場合、運転に応じたコースを後述するコース選択サイクルの優先順位が高いものから順次表示する。
【００６８】
ＣＰＵ６０は、ユーザにより操作パネル１５から運転の開始を指示する開始指示を受け付けた場合、設定した運転内容に従って、ドラムモータ４、給水弁１８、排水弁２６、送風機５５、ヒータ５６、銀イオン発生器２２及びＰＣＩ発生器５７夫々の動作を制御し、運転内容に応じた洗濯運転及び洗乾運転等の運転を実施する。
【００６９】
図４は、操作パネル１５を示す平面図である。操作パネル１５の面上には、上述の操作ボタンＢ１，Ｂ２，・・・，Ｂ１５及び表示部Ｄ１，Ｄ２，・・・，Ｄ１０が設けられている。なお、図４において、銀イオン及びＰＣＩに係るボタンは省略している。
【００７０】
操作パネル１５は、操作ボタンＢ１，Ｂ２，・・・，Ｂ１５夫々のいずれかが押圧された場合、押圧された操作ボタンを示す操作情報を運転制御部１６へ通知する。操作ボタンＢ１，Ｂ２，Ｂ３，Ｂ４夫々は、表面に文字及び枠線が印刷されており、常に表示している。
【００７１】
操作ボタンＢ５，Ｂ６，・・・，Ｂ１５夫々は、文字部分又は図形部分と、枠線部分とを有し、文字部分又は図形部分と、枠線部分とは透明の部材で構成され、その他の部分は非透過性の部材で構成されている。操作ボタンＢ５，Ｂ６，・・・，Ｂ１５夫々の背面には図示しない光源、例えばＬＥＤ（Light Emitting Diode）が配されており、各光源が点灯して、対応する操作ボタンに光が照射されることによって文字又は図形と枠線とが表示され、操作ボタンＢ５，Ｂ６，・・・，Ｂ１５夫々が視認可能な状態となる。
【００７２】
運転制御部１６のＣＰＵ６０は、操作パネル１５を介して、操作ボタンＢ５，Ｂ６，・・・，Ｂ１５の後側に設けられた光源の点灯／消灯を行うことによって、操作ボタンＢ５，Ｂ６，・・・，Ｂ１５夫々について表示／非表示の切換えを行う。なお、操作ボタンＢ５，Ｂ６，・・・，Ｂ１５の少なくとも一部を常に表示することにしてもよい。
【００７３】
表示部Ｄ１，Ｄ２，・・・，Ｄ１０夫々にも、一又は複数の文字部分又は図形部分が設けられており、文字部分及び図形部分は透明の部材で構成してあり、文字部分及び図形部分夫々の後側に図示しない光源が配置されている。光源が点灯して、対応する文字部分及び図形部分に光が照射されることによって、文字又は図形が表示される。
【００７４】
運転制御部１６のＣＰＵ６０は、操作パネル１５を介して、表示部Ｄ１，Ｄ２，・・・，Ｄ６の文字部分又は図形部分の後側に設けられた光源の点灯／消灯を行うことによって、表示部Ｄ１，Ｄ２，・・・，Ｄ１０夫々において文字又は図形の表示／非表示の切換えを行う。
【００７５】
操作ボタンＢ１は、電源の投入を指示する電源投入指示を受け付けるために用いられる。
運転制御部１６のＣＰＵ６０は、操作ボタンＢ１が押圧された場合、電源投入指示を受け付け、洗濯機に接続してある商用電源からドラムモータ４、給水弁１８、排水弁２６、送風機５５及びヒータ５６への給電を可能にし、初期表示する運転及びコースを不揮発性メモリ６３から読み出す。ＣＰＵ６０は、表示部Ｄ１において、運転に対応する文字を表示し、表示部Ｄ２において、コースに対応する文字を表示する。
【００７６】
操作ボタンＢ２は、洗濯機に接続される商用電源からの給電の遮断を指示する電源遮断指示を受け付けるために用いられる。
操作ボタンＢ３は、決定してある運転内容での運転の開始を指示する運転開始指示、又は、運転の一時的な停止を指示する運転停止指示を受け付けるために用いられる。
操作ボタンＢ４は、蓋体１０のロックの解除を指示する解除指示を受け付けるために用いられる。
【００７７】
操作ボタンＢ５は、運転の切換えを指示する運転切換指示を受け付けるために用いられる。不揮発性メモリ６３は、初期表示内容の他に現状の運転内容（以下、単に運転内容という）を記憶している。ＣＰＵ６０は、操作ボタンＢ５が押圧されて運転切換指示を受け付ける都度、設定する運転を「洗乾」、「洗濯」、「乾燥」、「個別（個別運転）」、「お手入れ」、「リフレッシュ」の順に変更する。ＣＰＵ６０は、変更した運転に対応する文字を、操作ボタンＢ５の上側に設けられた表示部Ｄ１に表示する。なお、この運転選択サイクルの順番は、後述するように初期表示の内容によって最初の項目に戻ることがある。
【００７８】
「洗濯」運転及び「乾燥」運転は、前述した洗濯運転及び乾燥運転を個別に行うものであり、「洗乾」運転は、洗濯運転及び乾燥運転の両方を行う運転である。「リフレッシュ」運転は、ぬいぐるみ、スカーフ又はブーツ等の洗濯することができない洗濯不可製品の除菌及び防臭を行う運転であり、洗濯不可製品が回転ドラム３内に投入してある状態で行われる。具体的には、ＰＣＩ発生器５７によりＰＣＩを発生させ、送風機５５を駆動して、ＰＣＩ発生器５７が発生したＰＣＩを回転ドラム３へ送り込む。
【００７９】
「お手入れ」運転は、水槽２及び回転ドラム３を洗浄する運転であり、水槽２及び回転ドラム３の洗浄するための洗剤が投入された状態で行われる。
「個別」運転では、洗濯運転の洗い、すすぎ及び脱水、並びに乾燥運転の中からユーザによって選択された運転が行われる。ＣＰＵ６０は、洗い、すすぎ、脱水及び乾燥運転の中で実行する項目の決定と、選択された項目を実行する時間又は回数の決定と操作ボタンＢ８〜Ｂ１５から受け付けて、受け付けた内容で運転を行う。操作ボタンＢ８、Ｂ９、Ｂ１０、Ｂ１１は、運転内容が「個別」に決定してある場合に、それぞれ乾燥、脱水、すすぎ、洗いの指示を受け付けるために用いられる。
【００８０】
操作ボタンＢ６は、運転に応じて表示してあるコースの変更（切換）を指示するコース切換指示を受け付けるために用いられる。設定可能なコースは、運転によって異なる。
ＣＰＵ６０は、操作ボタンＢ６が押圧されてコース変更指示を受け付ける都度、設定した運転に対応するコースを決定可能なコースの中で順次変更する。ＣＰＵ６０は、操作ボタンＢ６が押圧される都度、設定コースを、「標準」、「スピード」、「柔らか」、「わが家（流）」、「室内干し」、「念入り」、「ドライ」、「毛布」の順であって、かつ設定運転に対応して選択可能なコースに順次変更する。ＣＰＵ６０は、変更したコースに対応する文字を、操作ボタンＢ６の上側に設けられた表示部Ｄ２に表示する。なお、このコース選択サイクルの順番は、後述するように初期表示の内容によって最初の項目に戻ることがある。
【００８１】
「ドライ」コースは、ウール若しくはカシミヤ等のセーター、ブラウス、スカート又はスラックス等のデリケートな衣類の洗濯又は乾燥を行うコースである。「毛布」コースは、毛布又はカーペットカバー等の大きくて厚い洗濯物を丁寧に洗って、念入りにすすぎ、緩やかな温風で乾燥するコースである。「室内干し」コースは、短時間の部屋干しで洗濯物が乾燥するように、洗濯及び乾燥を行うコースである。
【００８２】
「念入り」コースは、泥汚れがひどい衣類を洗濯するコースであり、「念入り」コースが実施された場合、衣類は強く洗われてしっかりすすがれる。「柔らか」コースは、赤ちゃん用の衣類、又はタオル等の洗濯物を洗濯するコースであり、「柔らか」コースが実施された場合、洗濯物はごわつきを抑えた状態でふんわりと仕上げられる。
【００８３】
「わが家」コースは、ユーザによって、洗濯運転の洗い、すすぎ及び脱水と、乾燥運転との中で行う項目と、各項目を行う時間又は回数とが設定されたユーザ専用のコースである。「標準」コースは一般的な洗濯及び／又は乾燥を行うコースである。「スピード」コースは短時間で洗濯及び／又は乾燥を行うコースである。
【００８４】
操作ボタンＢ７は、操作ボタンＢ８〜Ｂ１５の中の詳細内容の決定に係る操作ボタンの表示を指示する表示指示を受け付けるために用いられる。操作ボタンＢ１５は、洗濯運転及び乾燥運転等の終了時刻の予約指示を受け付けるために用いられる。
【００８５】
操作ボタンＢ１２，Ｂ１３夫々は、表示部Ｄ６に表示されている時刻、時間又は回数等の数値の減少指示及び増加指示を受け付けるために用いられる。操作ボタンＢ１４は、洗いを、ふろ水を用いる場合の洗いに変更する変更指示等を受け付けるために使用される。
【００８６】
以下、運転制御部１６のＣＰＵ６０によるメモリ更新処理について説明する。
図５及び図６は、ＣＰＵ６０によるメモリ更新の処理の手順を示すフローチャート、図７は初期表示のサブルーチンに係るＣＰＵ６０の処理手順を示すフローチャートである。
ＣＰＵ６０は、まず、操作ボタン（電源入キー）Ｂ１の押圧によって電源投入指示を受け付けたか否かを判定する（Ｓ１）。ＣＰＵ６０は、電源投入指示を受け付けていないと判定した場合（Ｓ１：ＮＯ）、処理をステップＳ１に戻し、電源投入指示を受け付けるまで待機する。
【００８７】
ＣＰＵ６０は、電源投入指示を受け付けたと判定した場合（Ｓ１：ＹＥＳ）、操作パネル１５において初期表示を行う（Ｓ２）。
図７に示すように、ＣＰＵ６０は、前回の運転が対象運転か否かを判定する（Ｓ２０１）。ＣＰＵ６０は、前回の運転が対象運転でないと判定した場合（Ｓ２０１：ＮＯ）、直近に記憶した対象運転に対応するメモリから設定したコースを読み出し、この運転を表示部Ｄ１に、コースを表示部Ｄ２に表示する（Ｓ２０２）。例えば前回の運転が「乾燥」であり、前々回の運転が「洗乾」である場合、メモリ１からコースを読み出して表示する。
ＣＰＵ６０は、前回の運転が対象運転であると判定した場合（Ｓ２０１：ＹＥＳ）、即ち、前回の運転が「洗乾」又は「洗濯」であると判定した場合、メモリ１又はメモリ２に記憶されたコースを読み出し、運転を表示部Ｄ１に、コースを表示部Ｄ２に表示する（Ｓ２０３）。
【００８８】
ステップＳ３において、ＣＰＵ６０は操作ボタンＢ５（運転切換キー）が押圧されたか否かを判定する。ＣＰＵ６０は操作ボタンＢ５が押圧されていないと判定した場合（Ｓ３：ＮＯ）、処理をステップＳ９へ進める。ＣＰＵ６０は操作ボタンＢ５が押圧されたと判定した場合（Ｓ３：ＹＥＳ）、初期表示の運転が「洗濯」であるか否かを判定する（Ｓ４）。
【００８９】
ＣＰＵ６０は、初期表示の運転が「洗濯」でないと判定した場合、即ち「洗乾」であると判定した場合（Ｓ４：ＮＯ）、運転選択サイクルの次の運転、即ち「洗濯」を表示する（Ｓ５）。このとき、メモリ２に記憶された「洗濯」のコースを表示部Ｄ１に表示する。
ＣＰＵ６０は初期表示の運転が「洗濯」であると判定した場合（Ｓ４：ＹＥＳ）、運転選択サイクルの次の「乾燥」ではなく、「洗乾」に一度、戻して表示する（Ｓ６）。このとき、メモリ１に記憶された「洗乾」のコースを表示部Ｄ１に表示する。
【００９０】
次に、ＣＰＵ６０は操作ボタンＢ５が押圧されたか否かを判定する（Ｓ７）。
ＣＰＵ６０は、操作ボタンＢ５が押圧されていないと判定した場合（Ｓ７：ＮＯ）、処理をステップＳ９へ進める。
ＣＰＵ６０は操作ボタンＢ５が押圧されたと判定した場合（Ｓ７：ＹＥＳ）、運転選択サイクルの次の運転を表示し（Ｓ８）、処理をステップＳ７へ戻す。ここで、運転切換が洗濯（初期表示）→洗乾→洗濯と推移した場合、２回目の洗濯のコースは、初期表示が「標準」である場合、コース選択サイクルの次の「スピード」に、初期表示が「標準」以外である場合、「標準」に戻して表示される。運転切換が洗乾（初期表示）→洗濯→乾燥と推移した場合、「乾燥」表示時のコースは、メモリ３に記憶されたコースを表示する。設定運転が対象運転でも乾燥運転でもない場合、デフォルトのコースを優先順位の高いものから表示する。
【００９１】
ＣＰＵ６０は、ステップＳ９において、現在、表示部Ｄ１で表示されている運転を実施する運転として設定する。
次に、ＣＰＵ６０は、操作ボタンＢ６（コースキー）が押圧されたか否かを判定する（Ｓ１０）。ＣＰＵ６０は、操作ボタンＢ６が押圧されていないと判定した場合（Ｓ１０：ＮＯ）、処理をステップＳ１８へ進める。
【００９２】
ＣＰＵ６０は操作ボタンＢ６が押圧されたと判定した場合（Ｓ１０：ＹＥＳ）、設定運転が対象運転であるか否かを判定する（Ｓ１１）。ＣＰＵ６０は設定運転が対象運転でないと判定した場合（Ｓ１１：ＮＯ）、現在表示部Ｄ２に表示されているコースのコース選択サイクルの次のコースを表示し（Ｓ１２）、処理をＳ１６に進める。
ＣＰＵ６０は設定運転が対象運転であると判定した場合（Ｓ１１：ＹＥＳ）、現在表示されているコースが「標準」であるか否かを判定する（Ｓ１３）。ＣＰＵ６０は「標準」でないと判定した場合（Ｓ１３：ＮＯ）、コース選択サイクルの次ではなく、「標準」に選択表示を戻して表示する（Ｓ１４）。
ＣＰＵ６０は「標準」であると判定した場合（Ｓ１３：ＹＥＳ）、コース選択サイクルの次のコースを表示する（Ｓ１５）。
【００９３】
ＣＰＵ６０は、操作ボタンＢ６が押圧されたか否かを判定する（Ｓ１６）。ＣＰＵ６０は、操作ボタンＢ６が押圧されたと判定した場合（Ｓ１６：ＹＥＳ）、次のコースを表示し（Ｓ１７）、処理をステップＳ１６へ戻す。ＣＰＵ６０は操作ボタンＢ６が押圧されていないと判定した場合（Ｓ１６：ＮＯ）、処理をステップＳ１８へ進める。
ステップＳ１８において、ＣＰＵ６０は、現在、表示部Ｄ２で表示されているコースを実施するコースとして設定する。
【００９４】
次に、ＣＰＵ６０は、操作ボタンＢ３（スタート一時停止ボタン）が押圧されたか否かを判定する（Ｓ１９）。ＣＰＵ６０は、操作ボタンＢ３が押圧されていないと判定した場合（Ｓ１９：ＮＯ）、処理をステップＳ１９に戻し、操作ボタンＢ３が押圧されるまで待機する。
ＣＰＵ６０は操作ボタンＢ３が押圧されたと判定した場合（Ｓ１９：ＹＥＳ）、設定運転が対象運転か否かを判定する（Ｓ２０）。
ＣＰＵ６０は設定運転が対象運転でないと判定した場合（Ｓ２０：ＮＯ）、設定運転は「乾燥」であるか否かを判定する（Ｓ２１）。ＣＰＵ６０は設定運転が「乾燥」でないと判定した場合（Ｓ２１：ＮＯ）、処理をステップＳ２６へ進める。
ＣＰＵ６０は設定運転が「乾燥」であると判定した場合（Ｓ２１：ＹＥＳ）、設定したコースが記憶対象のコースであるか否かを判定する（Ｓ２２）。ＣＰＵ６０はコースが対象コースでないと判定した場合（Ｓ２２：ＮＯ）、処理をステップＳ２６へ進める。ＣＰＵ６０はコースが対象コースであると判定した場合（Ｓ２２：ＹＥＳ）、メモリ３のコースを設定したコースに更新する（Ｓ２３）。
【００９５】
ＣＰＵ６０は設定運転が対象運転であると判定した場合（Ｓ２０：ＹＥＳ）、設定したコースが記憶対象のコースであるか否かを判定する（Ｓ２４）。ＣＰＵ６０はコースが対象コースでないと判定した場合（Ｓ２４：ＮＯ）、処理をステップＳ２６へ進める。ＣＰＵ６０はコースが対象コースであると判定した場合（Ｓ２４：ＹＥＳ）、設定運転に対応するメモリのコースを設定したコースに更新する（Ｓ２５）。即ち設定運転が「洗乾」であればメモリ１のコースを、「洗濯」であればメモリ２のコースを更新する。
【００９６】
ステップＳ２６において、ＣＰＵ６０は設定した内容に基づいて運転を実施し、処理を終了する。
【００９７】
以上のメモリ更新処理の内容を下記の表１に基づいて具体的に説明する。
【００９８】
【表１】
2014050602.tif 000003
【００９９】
初期設定として、不揮発性メモリ６３のメモリ１、メモリ２、メモリ３のそれぞれのコースは「標準」に設定されている。
１回目に電源が投入されたとき、初期表示は初期設定の通りに表示され、運転が「洗乾」、コースが「標準」である。ここで、運転が「洗乾」、コースが「スピード」に設定されたとする。メモリ１のコースが「スピード」に更新される。
２回目に電源が投入されたとき、直近の運転である「洗乾」に係るメモリ１が読み出され、初期表示は、運転が「洗乾」、コースが「スピード」とされる。ここで、運転が「洗濯」、コースが「念入り」に設定されたとする。メモリ２のコースが「念入り」に更新される。
【０１００】
３回目に電源が投入されたとき、直近の運転である「洗濯」に係るメモリ２が読み出され、初期表示は、運転が「洗濯」、コースが「念入り」とされる。ここで、運転が「乾燥」、コースが「柔らか」に設定されたとする。メモリ３のコースが「柔らか」に更新される。
４回目に電源が投入されたとき、直近の運転である「乾燥」は初期表示の対象の運転ではないので、直近の対象運転である「洗濯」に係るメモリ２が読み出され、初期表示は、運転が「洗濯」、コースが「念入り」とされる。ここで、運転が「洗乾」、コースが「スピード」に設定されたとする。メモリ１のコースは「スピード」が保持される。
５回目に電源が投入されたとき、直近の運転である「洗乾」に係るメモリ１が読み出され、初期表示は、運転が「洗乾」、コースが「スピード」とされる。
【０１０１】
本実施の形態においては、次回も実施される可能性が高い対象運転毎に、設定したコースをメモリ１又はメモリ２に記憶し、次回の電源投入時に、設定運転に対応するメモリからコースを読み出して、表示部Ｄ１，Ｄ２に運転，コースを表示するので、即座に容易に運転及びコースを設定することができる。また、初期表示後、運転を切り換える場合においても、メモリ１又はメモリ２に記憶部に記憶された他方の対象運転に係るコースを候表示部Ｄ２に候補として表示し、さらに運転が「乾燥」に切り換えられたとき、表示部Ｄ２にメモリ３に記憶されたコースを表示するので、少ない操作回数で、容易に、ユーザが所望する運転内容に設定することができ、利便性が良好である。即ち、メモリ間で登録したコースが上書きされることはなく、運転毎に、実施される可能性が高いコースが表示される。
なお、不揮発性メモリ６３への更新処理後は、運転終了以前に電源が切断されたとしても、更新内容は維持される。
【０１０２】
そして、本実施の形態においては、設定した運転とコースとが操作ボタンＢ３を押圧することにより自動的に不揮発性メモリ６３に記憶される。
さらに、本実施の形態においては、操作ボタンＢ５を操作された場合に、運転が対象運転の中で優先順位が低い「洗濯」であるとき、運転選択サイクルの次の項目の「乾燥」ではなく、優先順位が高い、即ち選択される可能性が高い「洗乾」に戻って、この「洗乾」が表示されるので、切り換えの操作回数を減じることができる。
【０１０３】
また、本実施の形態においては、操作ボタンＢ６を押圧された場合に、表示部Ｄ２に表示されているコースが、優先順位が低いコースであるとき、コース選択サイクルの次のコースではなく、優先順位が高い、即ち選択される可能性が高い「標準」に戻って、この「標準」が表示されるので、切り換えの操作回数を減じることができる。
【０１０４】
なお、本実施の形態においては、不揮発性メモリ６３に直近に記憶された対象運転及びコースを表示する場合につき説明しているがこれに限定されるものではなく、複数回の運転及びコースの設定履歴に基づき、最も多く設定された運転及びコースを初期表示することにしてもよい。
そして、対象運転及び対象コースの項目も上述した項目に限定されるものではない。また、運転選択サイクル及びコース選択サイクルにおいて順番が最初に戻る場合も、上述の場合に限定されるものではない。
【０１０５】
実施の形態２．
本発明の実施の形態２に係る洗濯機は、ＣＰＵ６０によるメモリ更新の処理が実施の形態１に係る洗濯機のメモリ更新の処理と異なること以外は、実施の形態１に係る洗濯機と同様の構成を有する。
実施の形態２に係る洗濯機は、操作パネル１５に、不揮発性メモリ６３へのコース登録を受け付けるための操作ボタンＢ１６（不図示）を有する。
【０１０６】
図８は、ＣＰＵ６０によるメモリ更新の処理の手順を示すフローチャートである。
ＣＰＵ６０は、まず、操作ボタンＢ１の押圧によって電源投入指示を受け付けたか否かを判定する（Ｓ３１）。ＣＰＵ６０は、電源投入指示を受け付けていないと判定した場合（Ｓ３１：ＮＯ）、処理をステップＳ３１へ戻す。
【０１０７】
ＣＰＵ６０は、電源投入指示を受け付けたと判定した場合（Ｓ３１：ＹＥＳ）、不揮発性メモリ６３に記憶された運転及びコースに基づき、実施の形態１と同様にして初期表示を行う（Ｓ３２）。
ＣＰＵ６０は実施の形態１と同様にして運転を設定し（Ｓ３３）、コースを設定する（Ｓ３４）。
【０１０８】
ＣＰＵ６０は、操作ボタンＢ１６の押圧によってコースの登録の指示を受け付けたか否かを判定する（Ｓ３５）。ＣＰＵ６０はコースの登録を受け付けていないと判定した場合（Ｓ３５：ＮＯ）、処理をステップＳ４２へ進める。
ＣＰＵ６０はコースの登録を受け付けたと判定した場合（Ｓ３５：ＹＥＳ）、設定運転が対象運転か否かを判定する（Ｓ３６）。ＣＰＵ６０は設定運転が対象運転でないと判定した場合（Ｓ３６：ＮＯ）、設定運転は「乾燥」であるか否かを判定する（Ｓ３７）。ＣＰＵ６０は設定運転が「乾燥」でないと判定した場合（Ｓ３７：ＮＯ）、処理をステップＳ４２へ進める。
ＣＰＵ６０は設定運転が「乾燥」であると判定した場合（Ｓ３７：ＹＥＳ）、設定したコースが記憶対象のコースであるか否かを判定する（Ｓ３８）。ＣＰＵ６０はコースが対象コースでないと判定した場合（Ｓ３８：ＮＯ）、処理をステップＳ４２へ進める。ＣＰＵ６０はコースが対象コースであると判定した場合（Ｓ３８：ＹＥＳ）、メモリ３のコースを設定したコースに更新する（Ｓ３９）。
【０１０９】
ＣＰＵ６０は設定運転が対象運転であると判定した場合（Ｓ３６：ＹＥＳ）、設定したコースが記憶対象のコースであるか否かを判定する（Ｓ４０）。ＣＰＵ６０はコースが対象コースでないと判定した場合（Ｓ４０：ＮＯ）、処理をステップＳ４２へ進める。ＣＰＵ６０はコースが対象コースであると判定した場合（Ｓ４０：ＹＥＳ）、設定運転に対応するメモリのコースを設定したコースに更新する（Ｓ４１）。即ち設定運転が「洗乾」であればメモリ１のコースを、「洗濯」であればメモリ２のコースを更新する。
ステップＳ４２において、ＣＰＵ６０は設定した内容に基づいて運転を実施し、処理を終了する。
【０１１０】
本実施の形態においては、設定した運転とコースとがユーザの意思により、不揮発性メモリ６３に記憶される。従って、次回の電源投入時に前記運転とコースとが初期表示された場合、該運転及びコースがそのまま設定される可能性も高く、利便性が良好である。
【０１１１】
実施の形態３．
本発明の実施の形態３に係る洗濯機は、ＣＰＵ６０によるメモリ更新の処理が実施の形態１に係る洗濯機のメモリ更新の処理と異なること以外は、実施の形態１に係る洗濯機と同様の構成を有する。
実施の形態３に係る洗濯機においては、所定の操作ボタンが所定の方法で押圧された場合に、不揮発性メモリ６３へのコース更新処理が行われる。例えば洗濯運転でのコース選択時、又は運転時に特定の操作ボタンが押圧された場合、選択中又は運転中のコースがメモリ２において登録され、洗乾運転でのコース選択中又は運転中に特定の操作ボタンが押圧された場合、選択中又は運転中のコースがメモリ１において登録される。特定のキー押し操作の具体例として、運転内容の選択に影響しないキーを押す操作［コース選択時に操作ボタンＢ４（ロック解除キー）を押す］、連続してキーを押す操作［操作ボタンＢ１５（予約キー）を２回続けて押す］、２つのキーを同時に押圧する操作［予約キーを押しながら操作ボタンＢ６（コースキー）を押す、予約キーを押しながら操作ボタンＢ３（スタート一時停止キー）を押して運転スタートさせる］、キーを長押しする操作［予約キーを３秒押し続ける、運転開始時にスタート一時停止キーを３秒押し続ける］、運転中にキーを押す操作［運転中にコースキーを押す］等が挙げられる。
【０１１２】
図９は、ＣＰＵ６０によるメモリ更新の処理の手順を示すフローチャートである。
ＣＰＵ６０は、まず、操作ボタンＢ１の押圧によって電源投入指示を受け付けたか否かを判定する（Ｓ６１）。ＣＰＵ６０は、電源投入指示を受け付けていないと判定した場合（Ｓ６１：ＮＯ）、処理をステップＳ６１へ戻す。
【０１１３】
ＣＰＵ６０は、電源投入指示を受け付けたと判定した場合（Ｓ６１：ＹＥＳ）、不揮発性メモリ６３に記憶された運転及びコースに基づき、実施の形態１と同様にして、初期表示を行い（Ｓ６２）、運転を設定し（Ｓ６３）、コースを設定する（Ｓ６４）。
【０１１４】
ＣＰＵ６０は、上述の所定の操作ボタンが操作されたか否かを判定する（Ｓ６５）。ＣＰＵ６０は所定の操作ボタンが操作されていないと判定した場合（Ｓ６５：ＮＯ）、処理をステップＳ７２へ進める。
ＣＰＵ６０は所定の操作ボタンが操作されたと判定した場合（Ｓ６５：ＹＥＳ）、設定運転が対象運転か否かを判定する（Ｓ６６）。ＣＰＵ６０は設定運転が対象運転でないと判定した場合（Ｓ６６：ＮＯ）、設定運転は「乾燥」であるか否かを判定する（Ｓ６７）。ＣＰＵ６０は設定運転が「乾燥」でないと判定した場合（Ｓ６７：ＮＯ）、処理をステップＳ７２へ進める。
ＣＰＵ６０は設定運転が「乾燥」であると判定した場合（Ｓ６７：ＹＥＳ）、設定したコースが記憶対象のコースであるか否かを判定する（Ｓ６８）。ＣＰＵ６０はコースが対象コースでないと判定した場合（Ｓ６８：ＮＯ）、処理をステップＳ７２へ進める。ＣＰＵ６０はコースが対象コースであると判定した場合（Ｓ６８：ＹＥＳ）、メモリ３のコースを設定したコースに更新する（Ｓ６９）。
【０１１５】
ＣＰＵ６０は設定運転が対象運転であると判定した場合（Ｓ６６：ＹＥＳ）、設定したコースが記憶対象のコースであるか否かを判定する（Ｓ７０）。ＣＰＵ６０はコースが対象コースでないと判定した場合（Ｓ７０：ＮＯ）、処理をステップＳ７２へ進める。ＣＰＵ６０はコースが対象コースであると判定した場合（Ｓ７０：ＹＥＳ）、設定運転のメモリのコースを設定したコースに更新する（Ｓ７１）。即ち設定運転が「洗乾」であればメモリ１のコースを、「洗濯」であればメモリ２のコースを更新する。
ステップＳ７２において、ＣＰＵ６０は設定した内容に基づいて運転を実施し、処理を終了する。
【０１１６】
本実施の形態においては、設定した運転とコースとがユーザの意思により、不揮発性メモリ６３に記憶される。従って、次回の電源投入時に前記運転とコースとが初期表示された場合、該運転及びコースがそのまま設定される可能性も高く、利便性が良好である。
【０１１７】
実施の形態４．
本発明の実施の形態４に係る洗濯機は、ＣＰＵ６０によるメモリ更新の処理が実施の形態１に係る洗濯機のメモリ更新の処理と異なること以外は、実施の形態１に係る洗濯機と同様の構成を有する。
実施の形態４に係る洗濯機においては、操作ボタンＢ２（電源切キー）が押圧された場合に、電源切断処理を行う前に、不揮発性メモリ６３へのコース更新処理が行われる。又は主電源が切断された場合に、副電源によりＣＰＵ６０が不揮発性メモリ６３へのコース更新処理を行うことにしてもよい。
【０１１８】
図１０は、ＣＰＵ６０によるメモリ更新の処理の手順を示すフローチャートである。
ＣＰＵ６０は、まず、操作ボタンＢ１の押圧によって電源投入指示を受け付けたか否かを判定する（Ｓ８１）。ＣＰＵ６０は、電源投入指示を受け付けていないと判定した場合（Ｓ８１：ＮＯ）、処理をステップＳ８１へ戻す。
【０１１９】
ＣＰＵ６０は、電源投入指示を受け付けたと判定した場合（Ｓ８１：ＹＥＳ）、不揮発性メモリ６３に記憶された運転及びコースに基づき、実施の形態１と同様にして、初期表示を行い（Ｓ８２）、運転を設定し（Ｓ８３）、コースを設定する（Ｓ８４）。そして、設定した運転及びコースに基づいて運転を実施する（Ｓ８５）。
【０１２０】
ＣＰＵ６０は、操作ボタンＢ２の押圧による電源の切断の指示を受け付けたか否かを判定する（Ｓ８６）。ＣＰＵ６０は電源の切断の指示を受け付けていないと判定した場合（Ｓ８６：ＮＯ）、処理をステップＳ８６へ戻す。
ＣＰＵ６０は電源の切断の指示を受け付けたと判定した場合（Ｓ８６：ＹＥＳ）、設定運転が対象運転か否かを判定する（Ｓ８７）。ＣＰＵ６０は設定運転が対象運転でないと判定した場合（Ｓ８７：ＮＯ）、設定運転は「乾燥」であるか否かを判定する（Ｓ８８）。ＣＰＵ６０は設定運転が「乾燥」でないと判定した場合（Ｓ８８：ＮＯ）、電源を切断して処理を終了する。
ＣＰＵ６０は設定運転が「乾燥」であると判定した場合（Ｓ８８：ＹＥＳ）、設定したコースが記憶対象のコースであるか否かを判定する（Ｓ８９）。ＣＰＵ６０はコースが対象コースでないと判定した場合（Ｓ８９：ＮＯ）、電源を切断して処理を終了する。
ＣＰＵ６０はコースが対象コースであると判定した場合（Ｓ８９：ＹＥＳ）、メモリ３のコースを設定したコースに更新し（Ｓ９０）、電源を切断して処理を終了する。
【０１２１】
ＣＰＵ６０は設定運転が対象運転であると判定した場合（Ｓ８７：ＹＥＳ）、設定したコースが記憶対象のコースであるか否かを判定する（Ｓ９１）。ＣＰＵ６０はコースが対象コースでないと判定した場合（Ｓ９１：ＮＯ）、電源を切断して処理を終了する。
ＣＰＵ６０はコースが対象コースであると判定した場合（Ｓ９１：ＹＥＳ）、設定運転のメモリのコースを設定したコースに更新する。即ち設定運転が「洗乾」であればメモリ１のコースを、「洗濯」であればメモリ２のコースを更新し（Ｓ９２）、電源を切断して処理を終了する。
【０１２２】
本実施の形態においては、設定した運転とコースとが自動的に不揮発性メモリ６３に記憶され、利便性が良好である。
【０１２３】
以上、説明した実施の形態は本発明の例示であり、本発明は特許請求の範囲に記載された事項及び特許請求の範囲の記載に基づいて定められる範囲内において種々変更した形態で実施することができる。
【符号の説明】
【０１２４】
１  外箱
２  水槽
３  回転ドラム
４  ドラムモータ
５  循環風路
１５  操作パネル
Ｂ１、Ｂ２、・・・、Ｂ１５  操作ボタン
Ｄ１、Ｄ２、・・・、Ｄ１０  表示部
１６  運転制御部
６０  ＣＰＵ（記憶手段、表示手段）
６３  不揮発性メモリ（記憶部）
【図１】
2014050602.tif 000004
【図２】
2014050602.tif 000005
【図３】
2014050602.tif 000006
【図４】
2014050602.tif 000007
【図５】
2014050602.tif 000008
【図６】
2014050602.tif 000009
【図７】
2014050602.tif 000010
【図８】
2014050602.tif 000011
【図９】
2014050602.tif 000012
【図１０】
2014050602.tif 000013